(57)【要約】【課題】インク受理層に縁なし全面インクジェット記録を行い、次に反対側の面にインクジェット記録をする両面インクジェット記録において、縁なし全面インクジェット記録部の上端面がメクレて白くならないインクジェット用記録紙、および記録方法を提供する。【解決手段】基紙の少なくとも一方の面に顔料と親水性接着剤を主成分とするインク受理層を有し、小判断裁されたインクジェット記録用紙にインクジェット記録を行う方法であって、小判断裁時に断裁刃の傾斜面が接した端部をインクジェットプリンターの給紙部に最初に接するようにしてインクジェット記録を行う。【選択図】　図１
2004074534.tif 000002
【特許請求の範囲】
【請求項１】
基紙の少なくとも一方の面に顔料と親水性接着剤を主成分とするインク受理層を有し、小判断裁されたインクジェット記録用紙にインクジェット記録を行う方法であって、小判断裁時に断裁刃の傾斜面が接した端部をインクジェットプリンターの給紙部に最初に接するようにしてインクジェット記録を行うインクジェット記録方法。
【請求項２】
基紙の少なくとも一方の面に顔料と親水性接着剤を主成分とするインク受理層を有するインクジェット記録用紙に、両面インクジェット記録を行う方法であって、前記インクジェット記録用紙のインク受理層面に縁なし全面インクジェット記録を行った後に、小判断裁時に断裁刃の傾斜面が接した端部をインクジェットプリンターの給紙部に最初に接するようにして、反対側の面にインクジェット記録を行う両面インクジェット記録方法。
【請求項３】
基紙の少なくとも一方の面に顔料と親水性接着剤を主成分とするインク受理層を有するインクジェット記録用紙であって、小判断裁時に断裁刃の傾斜面が接した端部が判別できるようにマークを施したインクジェット記録用紙。
【請求項４】
基紙の少なくとも一方の面に顔料と親水性接着剤を主成分とするインク受理層を有するインクジェット記録用葉書であって、小判断裁時に断裁刃の傾斜面が接した端部が、宛名面を表にしたときの上端部であるインクジェット記録用葉書。
【発明の詳細な説明】
【０００１】
【発明の所属する技術分野】
本発明は小判に断裁されたインクジェット記録用紙へのインクジェット記録方法及び片面が縁なし全面インクジェット記録である両面インクジェット記録方法に関する。また、小判に断裁されたインクジェット記録用紙及びインクジェット記録用葉書に関する。
【０００２】
【従来の技術】
インクジェット記録方式はフルカラー化が容易なことや印字騒音が少ないことなどから近年急速に普及してきた。この方式はノズルから記録媒体に向けてインク液滴を高速で吐き出させるものであり、インク中に多量の溶媒を含む。従って、記録媒体としては速やかにインクを吸収する必要がある。また、最近のコンピュータやデジタルカメラの普及により、銀塩写真に近い画像が求められるようになり、それに適したインクジェット記録用紙も開発製品化されている。一方、インクジェットプリンターの普及に伴って、近年、ダイレクトメール用カードや年賀はがきなどにもインクジェット記録が使われ始めている。
【０００３】
ところが、プリンターの高速化にともない、はがきやカードのインクジェット記録面に写真のように用紙の周囲に余白をもたないで用紙の全面にインクジェット記録（以下縁なし全面記録という）して、その反対面に宛名など個別情報をインクジェット記録すると、先に記録した縁なし全面記録の用紙の上端部が白く欠けるという現象（以下メクレという）が生じ、大きな問題となっている。しかし、この問題に対する適当な対策は現在知られていない。
【０００４】
【発明が解決しようとする課題】
そこで、本発明の目的は、インク受理層にインクジェット縁なし全面記録を行った後、反対側にインクジェット記録をしたときに、縁なし記録の上端部が白く欠けてしまうメクレを改善したインクジェット記録用紙とインクジェット記録用葉書、及びその記録方法を提供するものである。
【０００５】
【課題を解決するための手段】
上記のメクレが起こる原因としては、インク受理層の強度が弱いためと推定された。そこで、インク受理層を形成する塗料中の顔料とバインダーの種類と配合比率を種々変更し検討を行った。しかし、メクレはほとんど改善されなかった。更に、検討を進めた結果、メクレは、インク受理層が欠けるのでなく、その下の支持体である基紙がインク受理層の近くから剥がれていることが解明された。そこで、基紙の強度を高めるべく、基紙を抄造する際に内添の紙力増強剤の増配や、サイズプレス塗料やサイズプレス方式の変更を行い層間強度の増強を検討したものの、メクレの問題は解決されなかった。
【０００６】
本発明者らが検討を進めた結果、メクレは用紙製造後の、カードやハガキなど小判に断裁するときの断裁方向が大きく関係していること、及び紙厚が大きいほどメクレが目立ちやすいことを解明し、本発明に到達した。
【０００７】
すなわち、本発明の第１の発明は、基紙の少なくとも一方の面に顔料と親水性接着剤を主成分とするインク受理層を有し、小判断裁されたインクジェット記録用紙にインクジェット記録を行う方法であって、小判断裁時に断裁刃の傾斜面が接した端部をインクジェットプリンターの給紙部に最初に接するようにしてインクジェット記録を行うインクジェット記録方法である。
【０００８】
また、第２の発明は、基紙の少なくとも一方の面に顔料と親水性接着剤を主成分とするインク受理層を有するインクジェット記録用紙に、両面インクジェット記録を行う方法であって、前記インクジェット記録用紙のインク受理層面に縁なし全面インクジェット記録を行った後に、小判断裁時に断裁刃の傾斜面が接した端部をインクジェットプリンターの給紙部に最初に接するようにして、反対側の面にインクジェット記録を行う両面インクジェット記録方法である。
【０００９】
また第３の発明は、基紙の少なくとも一方の面に顔料と親水性接着剤を主成分とするインク受理層を有するインクジェット記録用紙であって、小判断裁時に断裁刃の傾斜面が接した端部が判別できるようにマークを施したインクジェット記録用紙である。
【００１０】
また、第４の発明は、基紙の少なくとも一方の面に顔料と親水性接着剤を主成分とするインク受理層を有するインクジェット記録用葉書であって、小判断裁時に断裁刃の傾斜面が接した端部が、宛名面を上にしたときの上端部であるインクジェット記録用葉書である。
【００１１】
【発明の実施の形態】
以下、本発明を詳細に説明する。
本発明の基紙およびインク受理層は通常高精細フルカラー記録用途に供されるように作成されたもので有れば良く、その材料や構成には関係しない。インク受理層は縁なし全面記録をするのに適した構成として顔料と親水性接着剤で構成されることが好ましい。このインク受理層は基紙の両面に設けても良い。
【００１２】
インク受理層に用いられる顔料としては合成シリカが一般的であるが、この他、アルミナやアルミナ水和物（アルミナゾル、コロイダルアルミナ、擬ベーマイト等）、珪酸アルミニウム、珪酸マグネシウム、炭酸マグネシウム、軽質炭酸カルシウム、重質炭酸カルシウム、カオリン、タルク、硫酸カルシウム、二酸化チタン、酸化亜鉛、炭酸亜鉛、珪酸カルシウム、水酸化アルミニウム等の無機顔料はもとより、プラスチックピグメント、尿素樹脂等の有機顔料等も使用することが出来る。
【００１３】
インク受理層に使用する親水性接着剤は、塗膜としての特性を維持するために顔料を結着する作用と、表面強度の維持、インク吸収性の確保などの目的で使用され、ポリビニルアルコールが賞揚されている。このほか、例えばポリビニルアルコールの変性物、澱粉、酸化デンプン、エーテル化デンプン、エステル化デンプンなどのデンプン類、カゼイン、ゼラチン、大豆蛋白などのタンパク質類、エチルセルロース、ヒドロキシプロピルセルロース、カルボキシメチルセルロースなどのセルロース誘導体類、ＳＢラテックス、ＮＢラテックス、アクリル系エマルジョン、酢酸ビニルエマルジョン、エチレン酢酸ビニル系エマルジョン等のエマルジョン類、水溶性ポリウレタン樹脂、水溶性不飽和ポリエステル樹脂等が使用できる。本発明においては、これらの結着剤の少なくとも１種を使用することができる。その配合部数は、前記した顔料１００重量部に対し、５〜６０部であることが好ましい。結着剤の配合部数が少ないと表面強度が不十分となり、多すぎるとインク吸収性が不十分となる。
【００１４】
本発明のインクジェット記録媒体に設けられるインク受理層の塗工量は３〜２５ｇ／ｍ２であることが好ましく、更に好ましくは５〜２０ｇ／ｍ２である。塗工量がこの範囲より少なすぎるとインク溶媒の吸収が不十分となるので、特に混色系での画像で滲みが顕著に認められる。また、インク受理層の塗工量が多すぎると、巻き取ったものを平版にしたり、更に小判断裁する際に、塗工層が支持体から粉状に落ちたり、印字部を擦っただけで塗工層が脱落する等、表面強度が不十分になるので好ましくない。
【００１５】
インク受理層を支持体表面に設けるために、一般的な塗工装置である各種ブレードコーター、ロールコーター、エアーナイフコーター、バーコーター、ゲートロールコーター、カーテンコーター、ショートドゥエルコーター、グラビアコーター、フレキソグラビアコーター、サイズプレス等の各種装置をオンマシンまたはオフマシンで使用することができる。
本発明においては、インク受理層を塗工した後にインク受理層をマシンカレンダー、スーパーカレンダー、ソフトカレンダー等のカレンダー装置で表面処理することも可能である。
【００１６】
前記したインク受理層を基紙の片面のみに設ける場合、その反対面側には親水性接着剤とカチオン性ポリマーを塗布乾燥した記録層を設けることが両面インクジェット記録を行うために好ましい。特にはがきやカードの場合は、一般にインク受理層の反対面は粗く、水性筆記用具等で記録する際に滲みやすいが、前記記録層を設けることにより、インク受理層の反対面においても滲みのない鮮明な発色の記録を得ることができる。親水性接着剤はインク受理層に使用するものが使用できる。カチオン性ポリマーは、インク中の染料の定着と耐水性の向上を目的として使用する場合が多く、これも通常インク受理層に使用されるもので良い。具体的にはポリエチレンイミンの４級アンモニウム塩誘導体、アクリル酸またはメタクリル酸と４級アンモニウム基を有するモノマーとの共重合体、ポリジメチルジアリルアンモニウムクロライド、カチオン性ポリアクリルアミドなどである。
【００１７】
本発明によって、メクレの問題が解決される理由は、電子顕微鏡及び光学顕微鏡の断面や表面の観察写真等から、次のように推測される。
一般に用紙を小判の枚葉紙として使用するには、一定の大きさの平版紙をギロチンカッター等の断裁刃を有するカッターで所望の大きさの小判に断裁する。断裁刃は片側が垂直で他側が先端まで斜めになって、または両側が先端まで斜めになって刃を形成している。例えばギロチンカッターの場合、金属製の平盤上に平版紙を重ね揃えて乗せ、上からギロチン断裁刃を降ろして断裁する。ギロチン断裁刃が降りるに従って、用紙の断裁面は圧縮を受ける。ギロチン断裁刃の垂直面が接触する記録用紙の端部においては、ギロチン断裁刃の進行に伴なう基紙とインク受理層の圧縮は小さく、断裁が完了した時点で、端部のエッジは鋭利で均一となる。一方、ギロチン断裁刃の傾斜面が接触する記録用紙の端部においては、ギロチン断裁刃の進行に伴って基紙とインク受理層は金属製平盤方向に圧縮を受け、インク受理層の一部が欠け落ちる等、端部のエッジは荒れて変形する。
上述した端部のエッジの状態はインクジェット記録画像の画質には影響を与えないがメクレの発生には大きく影響する。特に最初にインク受理層面に縁なし全面インクジェット記録を行い、その後裏面にインクジェット記録を行う際に違いが現れる。縁なし全面インクジェット記録でインク中の水分はインク受理層や記録用紙端部から浸透するため、インク受理層および基紙は膨潤し、強度が弱くなる。一般に、インク受理層は接着剤を多く含有するのに対し、基紙は接着剤を含有しない、または含有したとしてもごくわずかであるため、基紙の層間強度は基本的にパルプの繊維間結合力でしか無く、インク受理層より弱い。このとき、ギロチン断裁刃の垂直面で断裁された場合のように、端部のエッジが鋭利で均一であると、プリンター給紙部の給紙ロールあるいは一枚ずつ用紙を区分するためのガイドにその先端が鋭く当たって基紙がめくれ、上述した「メクレ」が広い領域で発生する。
【００１８】
一方、ギロチン断裁刃の傾斜面で断裁した端部（荒れたエッジの端部）がプリンター給紙部に最初に接するようにした場合、その端面がプリンターの給紙ロールや区分ガイドに当っても、衝突の力が荒れて変形したインク受理層もしくは基紙の層間強度の弱い部分にのみ作用し、インク受理層が欠け落ちるか、もしくはめくれても微小なものに留まる。従って縁なし全面記録した端部の基紙が広い領域でめくれるようなことは生じないものと思われる。
【００１９】
基紙の両側に顔料と親水性接着剤を主成分とするインク受理層を設けた場合でも、縁なし全面記録した後で、断裁刃の傾斜面で断裁した端部をプリンターの給紙ロールあるいは一枚ずつ用紙を区分するためのガイドに最初に接するようにして反対面にインクジェット記録を行えば、上記と同様に「メクレ」は生じないと思われる。
【００２０】
本発明のインクジェット記録用紙において、断裁刃の傾斜面に接するように断裁していない端部には、それを判別可能にするためにマーク（印）を入れておくことが好ましい。この様な印は、印刷や端部に切り込みを入れることなど、公知の方法で実施が可能である。特に、インクジェット記録用葉書の場合は、ギロチン断裁前に、宛名面に料額印刷や、郵便番号記入欄の印刷が行われることがある。通常葉書においては、量額印刷や郵便番号記入欄の印刷が行われている側を上部とするため、葉書の上・下端部が明確になる。この場合、宛名面を上にしたときの上端部を断裁刃の傾斜面で断裁すれば良い。
【００２１】
【実施例】
以下に実施例を挙げて本発明をより具体的に説明するが、本発明はこれらによって限定されるものではない。また、実施例において示す「部」及び「％」は、特に明示しない限り固形分重量部及び重量％を示す。
【００２２】
＜基紙の作製＞
広葉樹漂白クラフトパルプ９０％と針葉樹漂白クラフトパルプ１０％を混合叩解して濾水度を３５０ｍｌに調整したパルプに、カチオン化デンプン４部、アニオン化ポリアクリルアミド０．３部、及びアルキルケテンダイマー乳化物０．５部を添加し、長網抄紙機で紙匹を形成した。３段のウエットプレスを行った後、乾燥パートで２段の緊度プレスを行い乾燥した後、燐酸エステル化デンプン５％とポリビニルアルコール０．５％の液をサイズプレスを用いて乾燥重量が３．６ｇ／ｍ２となるように塗布し、乾燥後マシンカレンダー処理して坪量１７５ｇ／ｍ２の塗工基紙を製造した。
【００２３】
＜実施例１＞
合成非晶質シリカ（ファインシールＸ−３７Ｂ　（株）トクヤマ製）６０部、合成非晶質シリカ（ファインシールＸ−１２　（株）トクヤマ製）４０部、ポリビニルアルコール（ＰＶＡ−１１７、クラレ製）２５部、エチレン酢酸ビニルエマルジョン（スミカフレックス７４００　住友化学製）４部、スチレンブタジエンラテックス（ＬＸ４３８Ｃ　日本ゼオン製）４部、スチレンアクリル樹脂（ポリマロン３６０）２部、ポリジアリルジメチルアンモニウムクロライド（ＰＡＳ−Ｈ−１０Ｌ　日東紡績製）４部、および希釈水等を適宜添加した、固形分が２２％のカラーを、上記の基紙にバーブレードコーターを用いて塗工量が１６ｇ／ｍ２となるように塗工してインク受理層とした。基紙のインク受理層と反対面にポリビニルアルコール（ＰＶＡ−１１７、クラレ製）１０部、ポリジアリルジメチルアンモニウムクロライド（ＰＡＳ−Ｈ−１０Ｌ　日東紡績製）５部、固形分２％液を、固形分塗布量が０．８ｇ／ｍ２となるようにバーブレードコーターにて塗布した。得られた塗工紙の上端部をギロチン断裁刃の傾斜面で断裁して、はがき大の実施例１のインクジェット記録紙を得た。
【００２４】
＜実施例２＞
上記作製の塗工基紙の坪量を２０５ｇ／ｍ２に変更した以外は、実施例１と同様にバーブレードコーターを用いて塗工量が１６ｇ／ｍ２となるように塗工した。得られた塗工紙の上端部をギロチン断裁刃の傾斜面で断裁して、実施例２のインクジェット記録紙を得た。
【００２５】
＜比較例１＞
実施例１と同一の基紙を用いて、実施例１と同様にしてインク受理層の塗工を行った。その後、得られた塗工紙の上端部をギロチン断裁刃の垂直面のみで断裁して、はがき大の大きさの比較例１のインクジェット記録紙を得た。
【００２６】
＜比較例２＞
実施例２と同一の基紙を用いて、実施例１と同様にしてインク受理層の塗工を行った。その後、得られた塗工紙の上端部をギロチン刃の垂直面のみで断裁して、比較例２のインクジェット記録紙を得た。
【００２７】
＜評価方法＞
実施例及び比較例の各々のインクジェット記録媒体を以下に示す方法により評価を行った。
＜紙端部のメクレ＞
インクジェット記録媒体の、インク受理層にグリーンのベタ画像を縁なし全面インクジェット記録し、２時間放置後にインク受理層の反対面にインクジェット記録を行い、紙端部のメクレ具合で評価した。２度目のインクジェット記録は上端部がインクジェットプリンターの給紙部に最初に接するようにセットしてインクジェット記録を行った。
インクジェット記録評価に関しては、市販のインクジェットプリンター（ＥＰＳＯＮ：ＰＭ−９５０Ｃ）を用いた。
○：紙端部広範囲にメクレが認められず、均一なベタ画像が得られる。
×：紙端部広範囲にメクレが認められ、記録上端面が白く視認される。
評価の結果は表１に示した通りである。
【表１】
2004074534.tif 000003
【００２８】
表１から明らかなように、実施例１〜２のはがき大に断裁されたインクジェット記録紙は、最初にインク受理面に縁なし全面インクジェット記録を行った後に、次に反対面にインクジェット記録を行って両面インクジェット記録した場合でも、そのインクジェット記録面の紙上端部広範囲にメクレが起こらず画質良好なインクジェット記録面が得られる。
【００２９】
【発明の効果】
本発明の断裁方法で得られた小判インクジェット記録紙にインクジェット記録を行う際、インク受理層に縁なし全面インクジェット記録を行った後に、反対面にインクジェット記録を行う両面インクジェット記録をした場合でも、縁なし全面記録部の上端部のメクレが起こらず画質良好なインクジェット記録となり、実用上優れたインクジェット記録紙が得られる。
【図面の簡単な説明】
【図１】本発明のインクジェット記録用紙の断裁の概念図（側面）である。
【符号の説明】
１　　断裁刃
１１　断裁刃の垂直面
１２　断裁刃の傾斜面
２　　インクジェット記録用紙
【図１】
2004074534.tif 000004